(57)【要約】      （修正有）【課題】汚物の処理、保持、分別又は排出等々その他色々のあり方の状態に対処する変わり種おむつに関する構造、機能を得る。【解決手段】変わり種おむつの発明に於いて、ペニス１を包囲する袋類、袋体４を有し、該袋体４は、排泄物、汚物を保持し、又該保持物を処理をする等の仕法を有する構成の構造又は機能を持つ。また、該袋体の口端に続く持ち出し垂れ上がりの吸盤型密着裾帯５の延長を持ってペニス１の上部、下部又は周囲の身体に密着させて装着することにより、便利で、簡易、衛生的、快感的な手段を備えた機能、構造とした生理用品を得る。【選択図】図１
2009112828.tif 000002
【特許請求の範囲】
【請求項１】
ペニス、陰門、又は肛門から排出する排出物に関与する生理用品に於いて、
ペニスと肛門の間、又は、陰門と肛門の間に、該起伏、形状、形態又は状況に合わせた、境、分割、区分、分別又は分離をする事が出来る手段を有する事を特徴とする生理用品。
【請求項２】
請求項１項の少なくとも何れか１つに記載の生理用品に於いて、部分、部分体、部品、部品体、又は製品と為し得る事が出来る構造、構造体、機能、又は機能体とする事が出来る手段を有する事を特徴とする生理用品。
【請求項３】
請求項１項又は２項の少なくとも何れかに記載の生理用品において、排出物を排出するペニス、陰門、又は肛門に関与して為すことが出来る構造、構造体、機能、又は機能体を有する生理用品を関与する事が出来る手段を有する生理用品。
【請求項４】
請求項１項、２項、又は３項の少なくとも何れか１つに記載の生理用品に於いて、管理する、廃棄する、処理する、保持する、吸水する、吸収する、吸引する、漏らす、逃す、排出する、浸す、脱着する、装着する、逆流防止する、又は逆流する事が出来える手段を有することを特徴とする生理用品。
【請求項５】
請求項１項乃至３項の少なくとも何れか１つに記載の生理用品において、展開機能又は構造を備える、剥離機能又は構造を備える、漏れ防止機能又は構造を備える、吸水剤を備える、吸収材を備える、吸収機能又は構造を備える、多重機能又は構造を備える、分割機能又は構造を備える、又は、開閉機能又は構造を備える手段を有した事を特徴とする生理用品。
【請求項６】
請求項１、２項、３項、４項又は５項の少なくとも何れか１つに記載の生理用品において、身体又は物体に、圧着、押着、密着、包囲、係合、係着、装着、付帯、添付、付設、帯びたい、懸吊、懸架、懸装、結合、係止  又は付着させることが出来得る手段を有することを特徴とする生理用品。
【発明の詳細な説明】
【技術分野】
【０００１】
本発明はペニス、肛門、又は陰門等から排出する排泄物又は汚物に関する
【背景技術】
【０００２】
従来のペニス、肛門、又は陰門等から排出する排出物、汚物を処理保持する物としてオムツ、（むつき、おしめとも言う）が使われていた。オムツはパンツの様な形状で該オムツの中で便・尿を処理・保持されていた。依って、従来のオムツは、 ペニス、肛門、又は陰門等から排出する排出物、汚物を一緒くたにて受け手の名のオムツを以て包囲を為し、該汚物はオムツ内に排出された便・尿等を一緒くたの汚物として全部をオムツ内に排泄するので、下半身（前横後）全体部に広がって汚物にまみれて不衛生であった。依ってその汚物で下半身体の部分が汚染されている、オムツ内の状態であった。
【特許文献１】特開２０００−０３７４１１号公報
【特許文献２】特開２０００−１９７６６１号公報
【発明の開示】
【発明が解決しようとする課題】
【０００３】
依って、従来のペニス、肛門、又は陰門等から排出する排出物、汚物類に関与する名のオムツは上記記載の設定のオムツ（身に装着する物）のみで有るために、排出する排出物、汚物を一緒くたに受け手具である所のオムツを以て包囲を為し、オムツ内に排出された汚物により、オムツ内の下半身体（前横後を含む）全体部が汚物にて汚染される物であった。 其処で、現代に於いて、老人の寝たっきりの人等の介護を必要の人、お漏らしする人、身体の動かすことが出来ない病人等々のオムツを必要とする人が多くなってきた。この従来のオムツのあり方、方法、処理の仕方に於いては、面倒であり、且つ大量な汚物の便、尿の混入する排出した処理には手間がかかり、該処理が不完全になり易く不衛生である事が問題になってくる。依ってこの問題とする１つの例として介護人に依るオムツの交換から細菌、ウイルス、ばい菌等の感染が老人ホ−ムにて集団発生した状況が多くある。又通常長時間の車等にて（カンズメ）身動き出来ない状態になる事がある。
【０００４】
本発明は、以上の実状に鑑みて  そこでこれらの際の汚物の処理、保持、分別又は排出等々その他色々のあり方の状態に対処する該手段として用いる、該手段は便利に利用出来る、安全に使用、衛生的に使用出来又装着も容易、簡易に出来、更に使用状況状態も違和感無しで簡易に装着できる。   、
ペニス・肛門又は陰門等からの排泄物全般、又は各自、各々の排出する排出物、汚物の便、尿を単独、独立、分別、区分、『ペニス、肛門、又は陰門、〈又は身体の他部分の睾丸と複数〉』に１つ１つ各自に、区別、区割り、分類、分割するオムツの具、体、器、等等その他種々の方法に於いて、受け手、排出、処理、作用、構造、機能、仕法、保持する等のその他種々の手段を有して為す、又該簡易にし、衛生的に、安心、又はユニット化し得ること等等その他種々がある、該事項を（身体に関与する、又は該製品着付けにて、移動・稼働可能、し得る事も含む）目的とするものである。（部分、部分体、部品、部品体又は製品とする生理用品等々の種々とする。）
【課題を解決するための手段】
【０００５】
上記目的を達成すべく、
請求項１に記載された発明では、
ペニス、陰門、又は肛門から排出する排出物に関与する生理用品に於いて、
ペニスと肛門の間、又は、陰門と肛門の間に、該起伏、形状、形態又は状況に合わせた、境、分割、区分、分別又は分離をする事が出来る手段を有する事を特徴とする生理用品。
【０００６】
請求項２に記載された発明では、
請求項１項の少なくとも何れか１つに記載の生理用品に於いて、部分、部分体、部品、部品体、又は製品と為し得る事が出来る構造、構造体、機能、又は機能体とする事が出来る手段を有する事を特徴とする生理用品。
【０００７】
請求項３に記載された発明では、
請求項１項又は２項の少なくとも何れかに記載の生理用品において、排出物を排出するペニス、陰門、又は肛門に関与して為すことが出来る構造、構造体、機能、又は機能体を有する生理用品を関与する事が出来る手段を有する生理用品。
【０００８】
請求項４に記載された発明では、
請求項１項、２項、又は３項の少なくとも何れか１つに記載の生理用品に於いて、管理する、廃棄する、処理する、保持する、吸水する、吸収する、吸引する、漏らす、逃す、排出する、浸す、脱着する、装着する、逆流防止する、又は逆流する事が出来える手段を有することを特徴とする生理用品。
【０００９】
請求項５に記載された発明では、
請求項１項乃至３項の少なくとも何れか１つに記載の生理用品において、展開機能又は構造を備える、剥離機能又は構造を備える、漏れ防止機能又は構造を備える、吸水剤を備える、吸収材を備える、吸収機能又は構造を備える、多重機能又は構造を備える、分割機能又は構造を備える、又は、開閉機能又は構造を備える手段を有した事を特徴とする生理用品。
【００１０】
請求項６に記載された発明では、
請求項１、２項、３項、４項又は５項の少なくとも何れか１つに記載の生理用品において、身体又は物体（物質をも含む）に、圧着、押着、密着、包囲、係合、係着、装着、付帯、添付、付設、帯びたい、懸吊、懸架、懸装、結合、係止  又は付着させることが出来得る手段を有することを特徴とする生理用品。
【００１１】
尚、請求項１に記載された発明において、  「排出物を排出するペニス、陰門、又は肛門に関与して為す事が出来る、構造又は機能の手段において、ペニスと肛門の間、又は陰門と肛門の間に、該起伏、形状、形態（形状、平田でも可）又は状況に合わせた（沿った）形状の、境（境界）、分割り、分割、区分又は分離をする事が出来る手段を有する事を特徴とする生理用品（製品）でもある。」
請求項３項の記載をオムツ、ナフキン、又はパット等の付帯生理用品に装着、付帯、付着させた機能として為すことが出来る。
故に、請求項１項の該起伏、形状、形態（形状、平田でも可）又は状況に合わせた（沿った）形状の、境（境界）、分割り、分割、区分又は分離とする事が出来る手段を有する意とは、オムツ、ナフキン、又はパット等の付帯生理用品を利用して此に構造、構造体、機能、又は機能体を装着して為す事項又は手段は、分別又は分離する仕法（請求項１項の生理用品）にて汚物の保全、保持、処理する事が出来るオムツ、ナフキン、又はパット等の付帯生理用品とすることが出来る
【００１２】
尚、請求項３に記載された発明において、「  請求項１項又は２項の少なくとも何れかに記載の生理用品において、排出物を排出するペニス、陰門、又は肛門に関与して為すことが出来る構造、構造体、機能、又は機能体として配設、配属又は配分する事が出来る手段を有する生理用品でもある。」
【００１３】
又、  排出物を排出するペニス、陰門、又は肛門に関与して為すことが出来る構造、構造体、機能、又は機能体とは次の記載等をも指す。
排出物を排出するペニス、陰門、又は肛門に関与して為す事が出来る構造、構造体、機能、又は機能体、と為す事が出来る手段において、包囲を為す、袋を為す、袋帯を為す、袋体を為す、胞衣を為す、胞衣にスカ−ト形態を為す、房を為す・部屋を為す、体を為す、具を為す、器を為す、受け体を為す、受け具を為す、受け器を為す、係止形を為す、ネットを為す、弁を為す、菊型形状を為す、星形開形状を為す、 星形閉形状を為す、風船式形状を為す、伸縮式形状を為す、蛇腹形態を為す、折り畳み式形状を為す、逆流する形状を為す、逆流防止する形状を為す、吸盤形状を為す、吸引を為す、吸着を為す、縮小とする形状を為す、拡大とする形状を為す、漏らすを為す、漏れ防止形状を為す、排出形態を為す、穴の形状を為す、係合を為す、係着を為す、結合を為す、開閉形形態を為す、スリットを為す、収納及び排出配設の形態を為す、汚物移行形態を為す、クッション形状を為す、吸水を為す、吸収を為す、吸水材を要す、吸収材を要す、吸水剤を要す、吸収剤を要す、展開形状を為す、剥離形態を為す、多重構造形態を為す、多重機能形態を為す  又は、案内をする形状を為す事が出来る手段を有する。又はその他種々の生理用品とする該製品、構造、構造体、機能、又は機能体を言うものである。
【００１４】
故に請求項１項の記載に（例、対応する又は適応する箇所等をも含む又は指す請求項１項の事項の有様にて）、上記記載事項、手段、生理用品記載の構造、構造体、機能、又は機能体を設定（設置）とする生理用品である。「例えば、ナプキン、パット又はオムツに本件発明請求項１項の上記記載ペニスと肛門の間、又は、陰門と肛門の間に、該起伏、形状、形態又は状況に合わせた、境、分割、区分又は分離をする事が出来る手段を設定する生理用品と為す。該ナプキン、パット又はオムツに請求項１項を設定した生理用品に請求項３項の生理用品（製品、部品、部分等と為す）の機能付随する構造体を該ナプキン、パット又はオムツの上又は下にそれぞれの機能付随する様に設定付着させて為す構造、機能の手段を有する。（図２５，２６参照）
【００１５】
又、単数又は複数に設ける事が出来る上記記載の生理用品は、形状する、形態する、形成する、機能を有する、構造とする、機能体を有する、構造体とする、又は該類係とする事が出来る手段を有し、各々の特徴を持つ生理用品。
又は、単数又は複数（それぞれの用途によって使用分けする）に設ける事によって、便利、簡易、保全、（安全、保持、追従、防衛、防御、配属、配設、付着、係止、又は係着をも指す）衛生的、着脱自在、廃棄自在、（管理をする、処理をする、排捨自在、をも指す）安全  又はユニット化、にする特徴を有した生理用品。
【００１６】
尚、  請求項４に記載された発明に於いて、
請求項１項、２項、又は３項の少なくとも何れか１つに記載の生理用品に於いて、管理する、廃棄する、処理する、保持する、吸水する、吸収する、吸引する、漏らす、逃す、排出する、浸す、脱着する、装着する、逆流防止する、（閉止する）又は逆流する（開放流出する）事が出来える手段を有することを特徴とする生理用品。
【００１７】
尚、  請求項５に記載された発明において、
請求項１項乃至４項の少なくとも何れか１つに記載の生理用品において、「受け具機能又は構造を備える、受け体機能又は構造を備える、受け器機能又は構造を備える、とするも可」展開機能又は構造を備える、剥離機能又は構造を備える、漏れ防止機能又は構造を備える、吸水剤を備える、吸収材を備える、吸収機能又は構造を備える、多重機能又は構造を備える、分割機能又は構造を備える、又は、開閉機能又は構造を備える手段を有した事を特徴とする生理用品。
【００１８】
ペニス、肛門、又は陰門から排出する排泄物に関与する、或いは関係する製品（例えば生理用品）に於いて、肛門と陰又はペニスと肛門との境、（境界、区分又は分離）をする事が出来得る手段を設る事を特徴とする製品（生理用品）。
便と尿との排泄物を例えば分離させる・分けて処理する手段の１つである製品である。この手段により、脱着が簡易・便利・清潔且つ安全にするを基にするためで有る。依って、ペニス、肛門、又は陰門、及び該肛門と該陰門、又は該肛門と該ペニスとの事由に於いて、個人的身体について、一人一人各々により種々の違いがある。（ペニス、肛門、又は陰門に関係、関与して、当然、実体、該周辺、周囲又は周設等の広い意味をも含み形状、形態を指す個人にて異なるものである）
【００１９】
例えば、ペニス、肛門、又は陰門と、又は該肛門と該陰門又は該肛門と該ペニス間の個人一人一人各々により種々の違いの、大きさ、形状、距離、位置、幅、長さ、高、低、溝、高低差、等その他種々の違いがある。上記記載のこれらの違いを踏まえて、これらに対処する方法（脱着が簡易・便利・清潔且つ安全にするを基にする）の手段の１つとして、肛門と陰又はペニスと肛門との境、境界、区分、分離、境界部分、区分帯、連架又は固定、形状に沿う変化を伴う事を基とする事が出来得る手段を設る事とする製品（生理用品）である。
【００２０】
従って例えば、該肛門と該陰門又は該肛門と該ペニスとの境、境界、区分、分離、区域、区別をする手段として
１）境界（区域の意）として、ペニス、肛門、又は陰門と、又は該肛門と該陰門又は該肛門と該ペニス間の区域を示す、表す、区別する手段を有する事により、ペニス、肛門、又は陰門と、又は該肛門と該陰門又は該肛門と該ペニスに（脱着が簡易・便利・清潔且つ安全にするを基にする）、一層明らかになる境界として、配属、配設、付着、係止、又は係着させる事が出来る又は一層明らかになる境界を以て、部分、部分体、部品、部分体、又は製品の個々の設定が人それぞれに会わせて確実に出来更に安定した手段とする事が可能になる。
【００２１】
２）区分（区切って分けるの意）として、ペニス、肛門、又は陰門と、又は該肛門と該陰門又は該肛門と該ペニスの間を１つ１つずつ区切って分け、該１つずつを区分として示し、表し、区別する領域を明らかにする手段を有する事により、ペニス、肛門、又は陰門と、又は該肛門と該陰門又は該肛門と該ペニスに（脱着が簡易・便利・清潔且つ安全にするを基にする）、一層明らかにし、部分、部分体、部品、部分体、又は製品を個々別々人それぞれに会わせた設定となし、確実に安定した配属、配設、付着、係止、又は係着させる事が出来る手段とする事が可能になる。
【００２２】
３）分離として、ペニス、肛門、又は陰門と、又は該肛門と該陰門又は該肛門と該ペニスの間を人それぞれの状態、使い方又は用途に応じて上記記載を離して設定し、ペニス、肛門、又は陰門と、該肛門と該陰門又は該肛門と該ペニスのの関係に於いて、上記記載のペニス、肛門、又は陰門と、又は該肛門と該陰門又は該肛門と該ペニスを部分又は部品となす構成とする状態の形状、又は部分、部分体、部品、部分体、又は製品を個々別々人それぞれに会わせた形状にて設定となす状態にて、確実に安定する状態に離して設定する手段とするは、ペニス、肛門、又は陰門と、又は該肛門と該陰門又は該肛門と該ペニスに（脱着が簡易・便利・清潔且つ安全にするを基にする）、一層明らかに配属、配設、付着、係止、又は係着させる事が出来る手段とする事が可能になる。
【００２３】
４）境界部分として、ペニス、肛門、又は陰門と、又は該肛門と該陰門又は該肛門と該ペニスの間を境とし、該境を挟むペニス、肛門、又は陰門と、又は該肛門と該陰門又は該肛門と該ペニスをそれぞれ該部分又は該部品とし、該該部分又は該部品は請求項１、２，３，４，５，又は６項，の記載の手段を有している。
該手段は境界部分として設定し、境界と部分と部品としての配属、配設、付着、係止、又は係着させる事がより鮮明にした、構造又は機能として、例えば種々の違いの、大きさ、形状、距離、位置、幅、長さ、高、低、溝、高低差、変形、異形、移行、又は移動する境界、部分、部品又は製品を的確に捉えることが出来る手段である。
【００２４】
５）区分帯としては、区切って分ける帯によって区分帯として設置し帯によって着帯（高低差、幅大小存在可、又変形も可能）の存在を確実にして又明確に汚物を帯によってガ−ドをし、又は汚物に流れ移動を防ぎ、人それぞれの状態、使い方又は用途に応じて上記記載を設定し、ペニス、肛門、又は陰門と、該肛門と該陰門又は該肛門と該ペニスのの関係に於いて、上記記載のペニス、肛門、又は陰門と、又は該肛門と該陰門又は該肛門と該ペニスを部分又は部品となす構成とする状態を設定する手段とするは、ペニス、肛門、又は陰門と、又は該肛門と該陰門又は該肛門と該ペニスに（脱着が簡易・便利・清潔且つ安全にするを基にする）、一層明らかに配属、配設、付着、係止、又は係着させる事が出来る手段とする事が可能になる。
【００２５】
６）実体、固定、形状に沿う変化を伴う事を境とするに際して、前記記載  １）、２）、３）、４）、又は５）の手段における、配属、配設、付着、係止、又は係着させる事において、該手段を鑑みた、ペニス、肛門、又は陰門と、又は該肛門と該陰門又は該肛門と該ペニスの間を人それぞれの状態、使い方又は用途に応じて上記記載を設定した、形状に沿う変化（例えば高低幅溝変形等種々）を伴う事に依るに従うものを境とする、固定形状化又は固定形状固定設定した該部分、部品又は製品に於ける、該固定形状に沿う変化を伴う状況を境とする手段を有する事は、一層明らかに配属、配設、付着、係止、又は係着させる事が確実に出来る手段とする事が可能になる。
【００２６】
然るに、境界部分、区分帯として為す、高、低、幅、溝、付着位置とする構造、機能の手段を設定して 便と尿との排泄物を区別する、又は分離さて処理する方法である。排泄物を排泄するペニス、肛門、或いは陰門の排泄物を受ける、当てる、処理する、又は保持する等その他種々の、具、体、器又は機能体の製品（オムツをも含む）は、肛門、或いは陰門（又は 肛門或いはペニス）の排泄口に接する又は関与する部分に於いて、該肛門と陰門（又は  ペニスと肛門）の境とする関係（関与）する部分に境、境界とする手段を設る事を特徴を有する製品（具・体・器又は機能体をも含む）。依って排泄する尿と大便とに接する部分に簡易な、区別、分類が出来る又は仕切部・分離部を設ける事により、排泄物（尿と便）の区分け処理する機構部分とする。此の構造により、少なくとも尿と大便の交わりはなく、小便、又は大便の処理において、身体との関わり合いを衛生的にし簡易処理が可能である。
【００２７】
排泄物を排泄するペニス、肛門、或いは陰門の排泄物を誘導する、受ける、当てる、処理する（廃棄する）、保全又は保持する等の、「例えば、具、体、器又は機能体をも含む部分、部分体、部品、部品体又は製品（生理用品）と為す事が出来る。該手段に於いて、男性にては尿排泄のペニスと大便排泄の肛門に関与して受ける、当てる、処理する、保全又は保持するを為す事が出来る。
又、具、体、器又は機能体（生理用品）を、ペニスと肛門とに関与（関係）する上記記載具・体・器又は機能体（生理用品）は、部分、部分体、部品、部品体又は製品（生理用品）とする事が出来る。
又は、該ペニスと肛門との位置関係の境に区分（線引き・点線・溝・折り曲げ可能による区分等をも含むすべての区分の手段を言う）、仕切、部部分、スリット、溝（境溝）、山（境高）又は丘・谷（深み）等を構成（構造・機能）して関与する又は設定する手段を有する事が出来る。
又は女性にては尿排泄の陰門と大便排泄の肛門に関与して、誘導する、受ける、当てる、処理する（廃棄する）又は保持するを為す、具、体、器又は機能体（生理用品）を、陰門と肛門とに関与・関係する構造を部分、部分体、部品、部品体又は製品（生理用品）とする事が出来る。
又は該生理用品を該陰門と肛門との位置の関係に境・区分（線引き・点線・溝・折り曲げ可能による区分等をも含むすべての区分を言う）」  製品（生理用品）とし、該製品（生理用品）に仕切、部部分、分類、分割、境高低又は境幅溝等その他種々の機能、又は構造と為すことが出来る手段で有る。
該手段にて、関与する事を特徴とする。 （該事由、該事柄、該由緒、又は、該事項をも指す）
【００２８】
７）分割するに際して
即ち、肛門、陰門、ペニス、肛門と陰門との間、ペニスと肛門の間、又は尿と便（汚物排泄機能口）の間に関与させる手段において、変化する又は変形する（平多、平面、凹凸、貼腑等をも含む）状態の、形状又は形態を構成又は設定した手段である。
又利用の種々たる活用、分類、方法  又は区分の使用在り方（該事由、該事柄、該由緒、又は、該事項をも指す）において請求項１、２、３、４、５又は６の少なくとも何れか１つに記載を併せ持たせる（複数）事により、より有効な部分、部分体、部品、部品体又は生理用品とする事が出来る手段と為すことが出来る。
【００２９】
特許出願請求項１乃至６項の少なくとも何れか１つに記載の生理用品において、該全部体、該部品体、該部分体、該製品体とする事が出来る手段と為すことが出来る。又は、全部、部品、部分、製品とする事が出来る手段と為すことが出来る。上記記載に関与する該肛門と陰門とに境をする、境界をする、区分をする、分離をする又は分割をする手段を有する。
又は上記記載の場所、箇所、線上、線状、事由、事項、事柄、又は由緒とする状態又は状況に対処する構造又は機能（請求項１項乃至６項をも含む）が出来る手段を有する事を特徴とする。
又上記記載の手段及び請求項１項乃至６項において、剥離する、分離する、取り替える又は装着する事が出来得る、手段を有する生理用品とすることが可能である。
【００３０】
上記記載の生理用品において、請求項１項乃至６項、境をする、境界をする、区分をする、分割をする、区別をする、又は分離をする事が出来る、該箇所、場所、線上、線状、事由、事項、事柄、又は由緒とする状態又は状況に対処する為の構造又は機能が出来る手段の１つとして、線状を、線引き、点線、溝、又は折り曲げ等のその他種々の該仕方、方法を持って構成する。
線引き、点線、溝、又は折り曲げ等のその他種々の該仕方、方法の上記記載の手段を持つ機能より、陰門又は肛門とを、部分又は部品とを、面又は部分とを、又は部分と部分とを、別々又は個々に、剥がす、分離する事が出来る。故に必要とする該部分（汚物有り）のみを別別に処理（廃棄）する事が出来る（この場合良好状態である、もう一方片方は存続させて、そのままの機能を有している事も可。汚くなった方は廃棄する。）。依って排便又は排尿のみの片方だけを処理し又該部分を新しく取り替える・装着することが出来る、経済的で且つ衛生的な・簡易な処理方法である。
【００３１】
又は、請求項１乃至請求項６項、の少なくとも何れか１つに記載とする、又は該記載を複数、併せ持たせる機能とするは、該汚物処理に関する事態の状況による又は事柄の理由により（該事由、又は、該事項）、汚物処理に関する方法、仕方を変える、換える、付け足す、補助する、又は選択することが出来る。該事由により依り経済的で且つ衛生的な、効率的で簡易な処理方法の手段を有する特徴的な生理用品となる。
【００３２】
又、ペニス、肛門、又は陰門に、該単独に、各々別々に又は独立に関与（関係）させてなる変わり種のオムツとするも可。又は具・体・器、機能体とも呼べる該機能、作用、構造の手段を備えた製品とするも可。ペニス、肛門、又は陰門等から排出する排出物、汚物の尿、便を１つ１つを別別に、単独（ただし、身体の他部分の睾丸とは一対とする場合がある）（又例えば、男性はペニスと金玉が連なっている構造身体であるため、金玉を身体の他部分と名称とし、機能体設定によっては、ペニスと金玉を複数とはみなさなく、共にこれに関与した手段も含む。）に、分類、区別、分割する、該保持する、受け手、又は排却する、等とする手段を有する。
【００３３】
又は、ペニス、肛門、又は陰門を別々に、単独に、独立に分類、区別、分割して、上記記載の汚物の尿、便を該受け手（保持）、排却する（捨てる）、等とする手段の製品における、該排泄物・汚物に対処する該保持、保全、衛生面良好にて、安全に処理、する手段を有する機能、又は構成である。該構造、構成、又は機能、とする事が出来る手段の仕法、方法、在り方を示し又は為すとした１つとする所以、所為の事柄、事項の特徴である。
この事由により、便と尿とが分離して簡易処理出来る・保持出来る・又機能、機構が出来る、又排泄物の分類、分割、又は区別の上記記載等をする事により、該特徴をより効果的にする。  依って、便・尿とでは相違する汚物における特徴により各々の該処理、保持又は機能の仕法も異なってくる。
従って、相違異なる各々として、おこなえる機構・構造・機能とする、生理用品の具、物、器、機能体とし、為し、効率的・衛生的・安全・手間が係らずに扱える。
【００３４】
又は、例えば、該排出物、排棄物を袋、袋体、房、部屋、具、器等等で受け、該受けた該袋等をネット等で更に包囲してそれ等を固定、維持を強固にする。
又は、上記記載のこれらを複数を以て所持する機能を持つ事によって、その他種々の包囲、胞衣又は保持の構造、機能で包囲が出来、保持が出来、又それ等にて受ける汚物を、簡易に捨てる（例えば袋の様な構造にて汚物保持）事が出来る。  又は、これらの複数の機能を一緒にて行う事が出来る所為は、複数の機能となして共通して行える、又は共通する一対物としての機能と為す。該機能の所以、所為をペニス、肛門、又は陰門、各々に関与し装着を為す。
又それ等は単独、複数、又は各自にてそれ等扱いが出来る事により、取り付け、取り外す仕法も簡単、又はユニット化とする事も簡単に為す事が出来る物である。
【００３５】
従って、本件の生理用品の具、物、器、機能体と為す。又は生理用品類等は、従来のオムツ、パット又はナプキンと共存又は共有した複合体とすることも出来る。これらは便利なグッツの製品（ユニット化）となり、依ってそれ等は簡易に交換出来る。
手を汚さない便利さで、衛生面も良好とする扱いが出来る具、体、器、機能体等その他種々の生理用品である。故に、又下記請求項１乃至６項に示す様に本件該生理用品の記載（特徴）、と従来のオムツ、パット又はナプキンとが共有、若しくは共存体となる物である（ユニット化も可）。
又は、受け手製品、部品（具、体、器）又は処理製品、部品（具、体、器 ）等の製品、部品（具、体、器）は上記記載各各の該身体（ペニス、肛門、又は陰門）又は物体に関与する、又は簡単に装着又は脱着出来る、該保全、処理、仕法の機能を有する手段を持ち、それ等が具とする、体とする、器とする又は機能体とする事が出来える手段を有する。よって、該機能、該働き、作用を為す、該具、体、器又は機能体・物とする構造（ユニット化も可）とした。依って上記記載等をも含め、請求項１項乃至６項の少なくとも何れか１つに記載の手段を持ってしても各々の該特徴は得られる。
【００３６】
ペニス、肛門、又は陰門から排泄物を排泄するペニス、肛門、又は陰門の該出口部、又該周囲に関与する、（関連する・関係する・係わる）管理、保持又は処理する事が出来る手段の製品に於いて、該製品はペニス、肛門、又は陰門等を各自別々に、該単独に又は該独立的に、関与、関係、関連、設定する。
排泄物、汚物（尿・便）に直接的に、又は間接的に、該関係する、該関連する、該関与する際に於ける、上記記載の如く、各自別々に、単独に、又は該独立的に、その保持、管理、又はその処理を行う。
又は該排泄物・汚物に対処する仕法、又は該作用の機構、又は該在り方、又は該保持の方法、又は処置の該機能、又は該構造、構成の所持のあり方、又は該出来得る機能の手段を有する特徴を持つ。
【００３７】
又上記記載の手段及び請求項１項乃至６項の少なくとも何れか１つに記載とする製品（生理用品）は従来のオムツ、ナプキン、又はパット等の生理用品類に直接的又は間接的、に該関与して、（該関係、該関連、該関与、等とは、かかわる、関わり合う、影響、ゆかり、つながり、又は続きあい等の意を持つ）貼付する、添付する、係合する、又は装着させる。
【００３８】
依って、又は、請求項１項乃至６項の少なくても何れか１つに記載の生理用品において、本発明特徴としての、生理用品類に具、物、器、機能体、該構成又は構造体となす事が出来る手段を有する、又は該手段により生理用品類の具、物、器、又は機能体は、該構成又は構造体を一対と又は一体となす事が出来る。然るに従来のオムツ、パット又はナプキン等とに共存又は共有した複合体とすることが出来る。「オムツ、パット又はナプキン等に本発明の特徴製品を関与、接し、関連して、オムツ、パット又はナプキン等の該上、上面、該下、上面（又は左右、横縦も含む）に添付、装着、接着、貼付又は共存共有等種々が出来る構造」。これらは便利なグッツ（ユニット化も可）の製品となり、依ってそれ等は簡易に別々に、単独に、単一に交換、取り替えが出来るので、尿・便等での単体又は分離処理が可能である。故に、汚物の拡散を防ぎ、単体処理の為手の汚さなく簡単便利であり、衛生面も良好な扱いが出来る具、体、器又は機能体な生理用品である、故に、本該生理用品特徴、と従来のオムツ、パット又はナプキンとが共有若しくは共存体となる物である。
【００３９】
又は、受け手製品、部品（具、体、器も含む）、保持製品、部品（具、体、器も含む）又は処理製品、部品（具、体、器 ）等の製品、部品（具、体、器）は上記記載各各の該身体（ペニス、肛門、又は陰門）に関与する、又は簡単に装着又は脱着出来る、該処理、仕法、保全機能を有する手段を持ち、それ等が具とする、体とする、器とする又は機能体とする事が出来える手段を有して、該機能、該働き、作用を為す。該具、体、器、物又は機能体とする構造とした。依って上記記載等の構造又は機能をも含め、請求項１項乃至６項の少なくとも何れか１つの記載の手段を持ってしても各々の該特徴は得られる。
又は、手段を有した特徴は、請求項１乃至請求項６項の少なくとも何れか１つに記載の生理用品に付帯、設定させて便利、簡易、衛生的又は安価な製品とする。
【００４０】
ペニス、肛門或いは陰門を各自別々に、又は単独に被着、被包、取り囲み、保持又は被覆する機能の手段を有して、尿と便とを、各自個々、別々に関与して又は関係して、保持する。又は該保持物を管理する、又は該管理物を廃棄する・処理するを管理する。上記構成、（構造、）又は機能、（作用）の該製品或いは部品・部分は、吸引、吸水、吸収する、保持する、漏らす、逃す、排出する、浸す、逆流防止する、又は逆流する事が出来える手段を有した特徴を持つ。
然るに、請求項１乃至６項、の少なくとも何れか１つに記載の生理用品として為し、依り深く良い生理用品とする物である。
【００４１】
又、前記記載に関する（請求項１乃至６項の少なくとも何れか１つに記載の生理用品をも含む）生理用品（製品、部品、部品体、部分、部分体も含む）は、身体、物質（空間に存在し感覚によって認められる物）又は物体（人間の感覚で、その存在が知られるような、一定の形体を成している物質）に、圧着、押着、包囲、係合、係着、装着、付帯、添付、付設、懸架、懸装、懸吊又は付着させることも出来る手段を有する。
【００４２】
又は上記記載及び請求項１乃至６項の少なくとも何れか１つに記載の生理用品において、組み合わせ又は組みすれば、より効率的、便利、安全、又は衛生的な製品となる。
【００４３】
上記記載の手段及び請求項１項の記載の少なくても何れか１つに記載の生理用品は其れを複数を記載する、又は該其れを、請求項１項乃至６項の生理用品に付帯する手段を有する事が出来る。
又は、例えば、上記記載のペニス、肛門、又は陰門に関する生理用品において該生理用品（製品）、部品、部品体、部分、又は部分体の、内側又は外側に、ビニ−ル、紙、点孔を持つビニ−ル、点孔を持つ紙等等と（重ね順序又は並べ順序は不同）「（点孔とは、ビニ−ル、紙等のその他種々に於ける構成又は機能要件を満たす事が出来る用材、要材に孔（複数）を開ける事を言う、該孔（穴）の加工のあり方は、上面大きく下面小さくする加工孔〈例えば逆三角推型は漏れ促進機能を有する、テ−パ−とも言う〉又は上面小さく下面大きくする加工孔〈例えば三角推型は漏れ防止機能を有する、逆テ−パ−とも言う〉〈テ−パ−、逆テ−パ−を共に共存させるも可〉を成形して、汚物、水分の漏れの促進、又は漏れの防止する機能を有する）」その他種々の要在、用材等にて加工又は構成する生理用品とする。
【００４４】
又は、該構成製作製品の内、内側又は内面に吸水、吸収、或いは保持、又は漏らす、逃す、或いは浸す、逆流防止する・又は逆流する事も出来える手段を有した製品とする。
該製品（請求項１項乃至６項）の生理用用品は身体、物質又は物体に、圧着、押着、包囲、係合、係着、装着、付帯、添付、付設、懸垂（垂れ下がり）・又は付着させる等その他種々のことが出来る手段を有して、固定又はずれの防止を為す機能又は構造と為す。  （オムツ、パット、又はナプキン等をも含むその他種々の汚物に関与する品の機能、構造物と一体化出来る生理用品をも含む）
又はペニス、肛門或いは陰門に関与する構造又は機能において、被着、被包、取り囲み、保持、脱着、離裂く又は被覆する手段を、ペニス、肛門或いは陰門とに各自、個々別々めいめいに関与して構成する事もできる。又は尿と便とを、各自、個々別々に関与し管理或いは廃棄、処す製品、部品で有る事も出来る。故に、それ等は、安定、固定、を計る構造・構成又は機能等とする事が出来る製品となる。
【００４５】
又は、例えば、ペニス、肛門或いは陰門に於いて、それを被着、被包、取り囲み、保持又は被覆する等のその他種々の該構造又は機能を為すことが出来る該手段を（各自、個々別々に所有させる製品とするも可）有する該製品（生理用品）で有る。該生理用品は吸水、吸収、（例えば、吸水、吸収の意は、汚物、液、尿を吸収する機能とする、該資料として、吸い取り紙、吸材又は吸剤等がある。又、水等を吸水、吸収にて漏れを促進する、吸水、吸収で水等を留め置くので漏れ防止をする、又は吸水、吸収して保持の機能も有する事が出来る）吸引（例えば、汚物、液、尿を吸引する構造又は機能を持つ、該資料の１つとして、剤又は材を等を使用する。又は吸盤を以て生理用品を固定又は安定を計る機能とする。）或いは保持、又は漏らす・逃す・或いは浸す、逆流する又は逆流防止する事も出来える手段として為す。
又、一例のその手段は吸引材（剤、ゲル剤、材又はゲル材）、吸収材（剤、ゲル剤、材、又はゲル材）、又は吸水材（剤、ゲル剤、材又はゲル材）等の例えば紙類、薬剤類、化学材、又は化学剤類にて製作する。その紙は、（ペニス・肛門・或いは陰門に、装着等する場合にも考慮をする、）ペニス、肛門或いは陰門にあわせた形状、又はペニス、肛門・或いは陰門の出口、周囲又は周辺にあわせた形状（吸引形又は吸盤形）、又は排泄物の尿、或いは便にあわせた処理、保持する機能又は形状を要する事が出来る手段の特徴を持つ。
該仕法において、該関与設定、該関与設置、該関与装着、関与添付、関与付帯、関与仕法又は関与付着する等その他の種々の仕法の該手段を設けた製品とする、其れ等種々な仕法、構造又は機能の該製品又は部品を該身体との関係に、又関与させる。又、上記構造又は機能を共有、共存させてなる（例えば便の保持と処理との機能を一共にする、又は尿の保持と処理との機能を一共にする。）特徴をも有する事の手段を設けた事を特徴とする。
【００４６】
依って、例えばペニスと肛門との関連する形状にあわせた状態、形状、又は陰門と肛門との関連する形状にあわせた状態、形状、又はペニス形状にあわせた状態、形状（例えば袋等を言う）、又は陰門周囲にあわせた状態・形状、又は肛門周囲にあわせた状態、形状を形成する。
該成形形状は、該起伏、高低、幅、変形又は溝等その他色々の条件に併せて加工又は構成を備えている。
又は圧着、押着、包囲、係合、係着、装着、付帯、添付、付設、懸吊、懸架、懸装、（垂れ下がり）、結合又は付着させる事が出来る手段を持ち、部分、部分体、部品、部品体、又は生理用品、及びベニス、肛門、陰門、及びベニス、肛門、陰門等の該口、該周囲に（例えば袋開口を持った袋体の形状包囲機能構造を形成する。）該袋体を密着する、離れにくくする事が出来る。
又は吸盤の形態は、「例えば、肛門、陰門を境に臀部が分かれている形態を要している。この二方に分かれた臀部を一つとして一つ一つ、づつ別別の吸盤（図１６）を設定する。この二つの臀部の形状に合わせた吸盤により強力的に密着する（尚、該吸盤の周囲〈別機能発生箇所は除くも可〉に風船形式のクッションを関与すれば床ずれ防止、吸盤の作用機能押す繰り返で吸い付き増加、保護が出来る）」上記手段等を為す事が出来る形状体にて製作設定する。よって、上記記載の状態にし関部に装着する事が出来る生理用品となる。
【００４７】
依って、それ等を被着、被包、取り囲み・或いは包囲する手段として様々な形状を持つことが出来る。又該形状はそれ等にあわせた種々雑多なもので有り、且つ用途・汚物にあわせ、使用材料（紙等）を種々、雑多に取り入れて作る。
又例えば、男性はペニスと金玉が連なっている構造身体であるため、金玉を身体の他部分と名称とし、機能体設定によっては、ペニスと金玉を１個とみなし、これに関与した手段を為す。
又、例えば ペニス、陰門、肛門等に関与して、排出物、排棄物の該処理又は管理の仕法、（方法、仕方）仕法体、仕法具、（方法、仕方を為す器、具、体）はそれらペニス、陰門、肛門等を被着、被包、取り囲み、包囲、又は被覆する仕法、（方法、仕方）で係合、係着、又は関与する事が出来る該手段を有する事を特徴とする。
【００４８】
よって、ペニス、肛門、又は陰門に関与する、（関係する、関連する）製品（生理用品）、該部分、該部品、該部分体、又は該部品体において、ペニス、陰門、又は肛門からの排泄物に関与して為す構造又は機能の手段である。
【００４９】
又、例えば、ペニス、陰門、又は肛門等に関与する、排出物、排棄物の該管理又は処理を、「例えば、仕法体、仕法具、（方法、仕方を為す又は受収する器、具、体）とする機能と該構造類と為し得る。又ペニス、陰門、又は肛門等に、、袋、胞衣類、房、又は部屋等その他種々の該機能体又は該機能類等とする形状の該形成類と為し得る。とする保全、管理、処理である。」請求項１乃至６項の少なくとも何れか１つに記載の生理用品に、付帯、添付、付設、又は付着する「例、仕法、方法で該仕法の仕法体、仕法具、とする（方法、仕方を為す又は受収する器、具、体）」事が出来える該手段を有する製品となす事が出来る。
【００５０】
又は、スカ−トを持たせた形状を形成する袋体を持つ事により、該機能をより発揮出来る。「即ち該袋体は、襞付きの折り畳み式スカ−トの裾に開展形状（野口博士発明の宇宙打ち上げ時の宇宙船搭載の折り畳み式一遍開展形状を用いる）を付着、接着設定させた袋体とする。この構造は通常は小さく折り畳みに為っている構造の設定で、しかし該構造は使用時において、同時に安全に簡単に広がり、容量広大にする形状にて、尿、又は便の排泄物の容量の多大、多量又は容量に応じて、包囲又は保持をする機能を持たせた形状を形成する」
【００５１】
或いは、房類を形成、例えば房形状は袋の真ん中に窪みを持たせ鏡餅のような形、葡萄房にして管理又は処理が便利になる様にする。
或いは、部屋類を形成、該部屋類は管理又は処理が、簡易、便利又は衛生にする。
又、袋体等を該部屋類とする部屋割り（例、便又は尿とに区別して排泄物の処理を各部屋割りをして各各に処理にする機能）、仕切部屋（例、便又は尿とに区別して排泄物の処理を仕切した部屋に各々に処理する機能）、又は単独部屋とする種々な部屋を製作する。
又は、生理用品を体類、具類又は器類として形成する。
生理用品は、器、部品又は部分と為し、それ等は柔軟性を持つ。該器は品物類を入れるうつわとしても可能とする。故に、器、部品又は部分は排泄物を入れる物として機能させる。
該器、部品又は部分の入口はペニス、陰門、肛門等に関与する、そして該器、部品又は部分は排泄物を溜めることが出来る。又、該器、部品又は部分の下部或いは側面に蓋を設定して排泄物の封じ込み又は取り出しが可能とする。「簡易な構造例えばビニ−ル、紙、プラスチック、ポリエステル、アセテ−ト、布、綿、麻、化学物質、化学繊維、動物物質、動物繊維、植物物質、又は食物繊維類等その他種々の使用可能品にて施策〈例えば、ふしょく加工〉又は製作する。」
【００５２】
又該器、部品又は部分は排泄物が吸収さす紙或いはゲル材にて、排泄物を保全、固定、固形又は変化させる事もできる。
或いは、ネット類にて構成形成する機能は、排泄物を保全、固定又は変化させる事もできる。該ネットは肌面に優しく、又は吸収、もらし和の機能の一旦を担う。
或いは、受け具、受け器、受け体とする該類は排泄物を保持機能の一旦を担う。
又或いは、逆流防止するを設定する構造類は、例えば、其の１つ、前記記載のような排泄物を保持機能を担う受け具、受け器、受け体類等に於いて、具、器、又は体とする該内に入った排泄物が具、器、体内から逆流して、はみ出す或いは漏れ出す事がないように逆流防止機能が設定してある構造である。
又其の１つ、具、器、製品（生理用品）、部品又は部分は、体内から出た排泄物が満タン・溢れ出る程になる時に於ける機能装置として具、体、器、部品、又は部分から水分が逃げる、漏れる、流出、流動又は逆流する様な（その他該類の種々を含む）な装置「（下記の実記例『穴設定箇所』にて説明）の１つ、穴・ネット等」の流動する事が出来る手段の機構（安全等も可）を設置する。
又は、具、器、体内から排出した汚物・水分等が体内・身体の方へ逆流しないように逆流防止機能（保全等も可）が設定してある構造を設置する。
【００５３】
又、弁を設定する構造類を構成する。該弁設定構造類は、袋構造類等の袋等の口元に弁機能を設定し弁にて内容物の逆流防止を計る物である。
或いは、菊型開閉又は星形構造類を構成し、菊型開閉又は星形構造類は、袋構造類等の袋等の口元に菊型開閉又は星形構造機能を設定し、菊型開閉又は星形構造形状にて汚物を案内とする事が出来る手段を有する。又は菊型開閉又は星形構造は弁とする機能を設定する事も可能である。然るに、内容物（廃棄物、排泄物）の案内し、又は逆流防止を計る形状の多重構造又は多重機能の形態である事が出来る手段を有する生理用品である。
【００５４】
或いは、折り畳み式（蛇腹式も可能）設定構造類は、袋体構造類等の袋等が蛇腹式構造を備え、袋構造類等の袋内に入った排泄物が満タン・溢れ出る程になるのを防ぐための装置の一端として折り畳み式（蛇腹）形状を持たせ広がり形状にて収容力を持たせた物である。
【００５５】
或いは、吸盤設定構造類は請求項１乃至６項、の少なくとも何れか１つに記載の生理用品に吸盤機能を持たせる、該機能機構はあらゆる物に吸着出来る装着機能等の手段が出来る構造である。
又は吸盤手段が必要な箇所に吸盤を設定して該箇所から離れないようにして汚物の汚染を防ぐ機能又な構造である。（例、臀部に密着する様に設定し便の保全を計る、又は陰門等の周囲に密着する様に設定し尿の保全を計る手段である）
又は、吸盤と弁とを連携又は関与設定して、弁機能にて吸盤を強化な物にして更にその先に汚物を保全する機能を関与させる手段とする。
【００５６】
又は、風船形式（適度な空気の投入によりクッションの床ずれ防止としても機能させることも可能である）、仕切部屋「（仕切った部屋を作り１つは空気の入った部屋で吸盤と弁に関与させてこの部屋を押す離す押す離すを繰り返しのポンプ式機能で弁の働きをさせて、吸着を必要とする箇所の吸盤を密着させる機能又は構造の手段を有する、又その他別の仕切部屋とする部屋の１つは汚物の保全場所等とする。又例えば幾つかの仕切部屋設けるに当たり、その仕切部屋の１つは中心に設け汚物排泄保全箇所とする。その他の仕切部屋は該汚物部屋の中心を取り巻く、多、小部屋を設定し、該仕切部屋の１つを、臀部、お尻に関与〈取り巻く又は形状に沿った形態〉する様に設定する、該多い、小さい部屋の一つに空気等を入れて、風船のクッション箇所とする、クッションの中央に該汚物排泄を設けることにより、より良い安定な保全する箇所とする、又は、他の仕切部屋の１つに弁を設定する箇所とする、構造又は機能にしてそれぞれの役割を為す手段とする。）」
故に、上記機能又は構造の手段の１つである袋等とその他の手段を接続して汚物の、流動、保全又は廃棄、その他の種々の適材適所該機能を為す事が出来る等の場所とするも可。
又は、然るに弁の機能により吸盤を臀部等必要な箇所により強力的に密着させる事が出来る。
【００５７】
又は、少なくとも何れか１つに記載の上記手段を有する該構造、機能の所持等において、漏れ防止具、漏れ防止器、又は漏れ防止体類を形成して、漏れ防止を計る所の、排泄物の漏れを防ぐ機能と該構造と該材料にて製作形成する製品である。上記記載の特徴とする種々の該手段を単体又は複数に備える事を特徴とする。  
【００５８】
又は、縮小又は拡大出来得る手段を有した事項を部品・製品・部分に所持する事を特徴とする。この上記記載の汚物の排出物、排棄への仕法（方法、仕方）において、該仕方又は該機能を仕法体、仕法具（方法、仕方を為す器、具）、在り方体、又は在り方具等を有する手段を有することを特徴とする。又は排出物の排棄、処理、保持する該構造、機能、（能力、作用）を有する、又は、該在り方を為す手段とする事が特徴である。。
又は、 折り畳み、蛇腹、 風船、伸縮等の形態の設定にて縮小又は拡大する事が出来得る手段を有する。
【００５９】
尚、該縮小、拡大とは、折り畳み、蛇腹、ギザギザ（止め）、膨らむ、広大広がる又は縮む等の作用、機能、構造、構成を為す事が出来得る手段を有する。
該手段は単体又は複数にて所持するも可。 又は、下記に記すように、種々の汚物に依り種々異なる対処する仕方をするものである。故に例えば、便の対処・処理として、肛門口に密着する又離れにくいとする形式の袋を開口に持ち、該袋は広大が出来る機能を縮小させた袋を設定した、該状態にて、「この時、如何様な便の排泄の、大小・多少・固い柔らかい水分多い等が生じても（ 請求項１乃至６項の記載の生理用品の少なくとも何れか１つに記載と共に出来る）」該袋を縮小する折り畳み仕法をさせておいた事により、身体による該状況・状態・汚物の排出の多少に応じ、上記記載の縮小させた袋が拡大する機能を為すものである。
該設定する該袋等により、外にはみ出ることがないので、衛生的で且つ処置し易い。又ペニスの形状体は変形し易い故に、形状変形・移行にあわせた形状に縮小又は拡大が出来得る手段とするも可。
【００６０】
尚、  ペニスとは通常男性の尿が出る所をいう。又ペニスは陰茎、男根、なんこう、外尿道口と称されるもので、それは伸縮可能な棒の様な形状を呈してると、見ようによっては見える時がある。 この様な変化、変動するペニスの扱いに於ける汚物の排泄状況に対処した処理が出来る事においても該特徴が生かされる。
又は陰門とは通常女性の尿が出る所をいう。女性の陰門と膀胱を繋ぐ尿道の距離は短い。又女子の陰門と肛門の位置は近く、フラットである。依って肛門からの排出する便との接触する機会が極めて多い。故に黴菌に感染しやすく、膀胱炎等を起こしやすいので、該欠点を克服する仕法、手段を有する特徴にて陰門を隔離若しくは便と接触を無くする様にし、又大量、少量の尿に於いても対処できる手段を有する特徴とする。上記記載の手段を有する構造又は機能にて行う（１つの例陰門と肛門に境等を設定）を指す。
（肛門とは通常男性、女性共に便、うんこが出る所をいう。 又 尻の穴と称されるものである）
【００６１】
肛門から排出、排棄される便において、一例をあげると、便には、柔らかい物、固い物、水分を多量に含んだ物、細菌等がいる物と種々の物がある、依って、尿排出部分とを分離して、肛門から排出された便だけを分隔、分離して処理する手段を有し該手段により、（例えば該便を包み込んで、分離処理する手段とするので、便が他の部分の身体に触れることなく単独に簡易にまとめて取り出し処理できる手段とする。）清潔に、簡易に保持、処理する事が出来る手段を有する特徴を為されるもので、該発明の効果の１つの特徴を持つものである。まして、女性の肛門と陰門とは接近しているし、又肛門と陰門の穴の場、位置はフラットで有る為、陰門に便が付き易いので膀胱の方にばい菌が進入しやすく病気に為りやすい。陰門から膣を経過して膀胱迄の距離は女性は短いので、病気の発生が多い。依って上記記載の肛門、（ペニスも含む）、陰門からの廃棄物は、独立、単独に処理する手段を有する事が必要である、又は肛門と陰門の間に境を構成して尿と便との分離をする手段を有する事が必要である。
【００６２】
又は、上記記載を設定する手段が収縮（延び縮む）、縮小又は拡大出来得る機能、構成、（作用）、該在り方、該状態又は該仕法を有する事を手段と為す特徴とする、該手段事項により、汚物が他の部分に拡散しない様に、他に漏れないように、又は簡易に扱いが出来る様な該手段を有するので衛生的にする特徴を持つ事である。又ペニス、陰門等に於いても同様である。尚、例えば、男性はペニスと金玉が連なっている構造身体であるため、金玉を身体の他部分と名称とし、機能体設定によっては、ペニスと金玉を１個数とみなし、これに関与した手段と為す事も可能。
【００６３】
或いは、展開する機能構造類とは、例えば関する製品とする袋に於いて、該袋にスリット、切り込み、又は点線を設ける事によって、該スリット、切り込み又は点線から袋を展開して、ベニス等に装着又は密着している袋を簡易に取り外し、取り除ける事が出来る。又は汚物に触れることなく便利で、衛生的な汚物の処理、排出又は剥離等の取り扱いが出来る。
【００６４】
或いは、開閉する機能構造類（何回でも使い回しが出来る事が可能な構造としても可）に於いて、該製品・部品を開閉（開閉自在が可）出来得る構造を持ち、、又開閉自在に出来る事により、使用時前の着用又は使用後に対する対処する処理方法が便利で、又は汚物に対する処理が衛生的で、簡易にて出来得る機能又は構造である。  又、該開閉方法の１つとして、マジックテ−プ（登録商標）、チャック、ファスナ−、留め金、留め、接着、係合、係着、結合、スリット又は袷重ね等その他種々の開閉する事が出来る手法の手段がある。
或いは、剥離する機能設定構造類は、ペニス、肛門又は陰門から排出する排泄物に関与する、或いは関係する製品に於いて、該生理用品（製品）、部品或いは部分の汚れている部分を、剥離できる事が出来る手段を有する。（何枚でも重ねた構造を持ち該一枚ずつ剥離できる事が出来る手法の手段がある。「又例えば、肛門と陰門との境、境界、区分、区別又は分離をする、又はペニスと肛門との境、境界、区分、区別又は分離をする事が出来得る手段を設る事を特徴とする製品に於いて、実施例１３・１４・１５（図１３・１４・１５）に示すように区分帯により尿・便の管理・保持とに分けられている、該部の尿側・便側別々に設定する、」
単一作用の吸収材、剤又は吸収しない材、剤等（例えば吸い取り紙、ビニ−ル、紙、ビニ−ルと変わる変わる重ね合わせる）を多重構造類又は多重機能構造とする手段として幾重にも重ね併せて設定する。
【００６５】
該機能、種類が異なる多重構造の材料、部品、又は部分を単一の機能、作用を構成する吸収材を該幾重にも重ね併せた吸収材（又尚、１つの例えば吸収紙、等らの機能を単一とする。即ち、該吸収紙の上部又は上面の構造機能は吸収大、下部又は下面の構造機能は吸収小とする所以の浸透圧の変化を生じる機能構成とするものである。それを一単位とした物として幾重にも重ねる）を持ち、排泄物の如何により、その状況立場によって該単一・複数の機能作用構造の吸収材、又は剤を単体、単数又は複数に製作構成して、汚れに応じてそれを一枚づつと捲り更に〜二枚〜三枚、づつと、剥がし、剥離していく、機能を持つ手段を有する、該汚物を一枚ずつ剥離除去をする事による最大限該減らす方法にて環境にも優しく又簡易便利さ及び経済的も節約出来る。又単独ペニス関与する開閉できる機能構造は、装着脱着自在とする袋体においても、同じ様に幾重にも重ね併せた単一の作用吸収材を用いることが出来る、単一又は複数の作用吸収材を多重機能構造としてを持ち合わせる多重機能、構造類である。
【００６６】
或いは、案内する機能構造類は、案内部を持ち誘導又はガイドする機能を持つ構成構造した手段を有した特徴である。例えば肛門から袋体に汚物を確実に排泄するためには袋体に案内部を設けて肛門から確実に誘導するガイド（図１６，１７，１８，１９）（菊型形状、星形形状を利用するも可）としてを設定して汚物を袋内へ案内する保持する。又ペニス、陰門又は肛門に関与する面、部分、部品又は機構に於いても同様な案内する機能構造を設ける。ペニス、陰門又は肛門に於ける本発明の特徴の製品、部品又は部分において、該製品、部品又は部分を他の物に（身体、物質、物体等も含む）装着又は密閉する際、該製品、部品又は部分と装着部（他の物等の身体、物質、物体等も含む）とを関与（装着・密閉する機能、工程をも指す）する過程に於いて、確実に装着又は密着出来るよう誘導又は案内する機能部を設けた構造類である
【００６７】
又は、ペニス、陰門又は肛門に関与する、関係する又は関連する、該製品、該部分、該部品は〜それぞれ〜の機能構造又は該作用を為す手段事項に於いて、該製品、該部分、該部品として製作し、ペニス、陰門又は肛門に直接又は単独に関与させて機能、作用又は構成させてその手段を有する特徴を為す。
又は、ペニス、陰門又は肛門に関与する、関係する、関連する、該部分、該部品又は該製品に〜それぞれ〜を関与機能構造又は該作用を備える手段を有する特徴の事項に於いて、該製品、該部分、該部品として製作した物証を、オムツ、パット、又はナプキンに用途に応じて、間接的又は直接的に関与して為す手段を有する構成、構造とし、その機能、作用の特徴を発揮為させることを特徴とする。  
【００６８】
上記記載請求項１乃至６項の少なくとも何れか１つに記載の生理用品において、
身体、（からだ全部及び個別、部分〈名称ペニス、陰門、又は肛門〉等の種々個別をも含むを指す）物質又は物体等に、圧着、押着、密着、包囲、係合、係着、装着、付帯、添付、付設、垂れ下がり、つりさがり、持ち下がり、帯びたい、ワッパ帯、結合、係止又は付着させることが出来得る手段を設定する、このことにより、上記記載の請求項１乃至６項の少なくとも何れか１つに記載の生理用品を、
１つ１つららを安定、保全、保持、固定させ、安全な、衛生的な、動きに伴う柔軟性の癒着、又は経済的な側面を支持する等その他種々な有能な特徴を持つことが出来る。
【００６９】
又は、肛門を中にし両面お尻の膨らみを持って肛門が沈下・勃下している形状に関与して其の形状を生かされる様、包み込み、又は挟み込みにて安定する形状を設定した袋体の形状とする、該袋体は肛門口を元とした袋の入り口とする。、例えば、肛門を中心にする、受け手口元を封じ込み、押し圧、安定長型等とする構造、機能の形状として、該口元の形状によって又は沿って該袋等（受けて具、器又は体）の安定を計る、詰まり肛門口に密着・圧着・押着、離れにくい袋開口を持った袋体を肛門に設定した状態にする事である。
又、例えば、身体、オムツ、被服、布、皮その他種々の物質或いは物体等に圧着・押着・包囲・係合・係着・装着・付帯・添付・付設・結合又は付着するし得る事が出来る手段を有する、請求項１乃至６項の少なくとも何れか１つに記載の生理用品である。
【００７０】
該生理用品において、圧着・押着・包囲・係合・係着・装着・付帯・添付・付設・結合又は付着させて為す手段を有する、該請求項１項乃至５項の少なくとも何れか１つに記載は安定を計る物である。又、形状、位置等が、崩れない又はずれないようにする事ができる１つとしての機能の手段である。依って、又排出される排泄物が安定し、固定す、移動不可、漏れ不可、等の機能の維持が可能となり、衛生的に推移し、又汚物回収が簡易、衛生的に出来得る。  又  オムツ、ナプキン又はパット等その他に付帯、添付、結合又は付着とする手段を有する特徴とする、請求項１乃至６項の少なくとも何れか１つに記載の生理用品である。
従って、この機能により、固定安定し、汚物のずれ、移動を防ぎ、衛生的に安定し、更に簡易操作、扱い、回収する事が出来る特徴を有する。。
【００７１】
又は、ペニス、肛門、或いは陰門を単独又は各自個々別々に設定した又は扱いが出来る機能又は構成とする事が出来る手段を有する生理用品において、該生理用品（単独又は各自個々別々）を、結合する、繋ぐ、橋渡しする、又は、点又は点線を線とで結ぶ等とによって、単独又は各自個々別々の該生理用品を関連づける、関係とする、共有とする又は同一とする（１つのものとする）手段を有する事もできる製品である。
然るに、上記手段を有する事によって、生理用品を被着、被包、取り囲み、保持、又は被覆する事が出来る手段を有す特徴となる。
【発明の効果】
【００７２】
本発明は、この事由により、便と尿とが分離して簡易処理出来る、保持出来る、又は衛生的保全等その他種々な汚物に関与する機能、機構の構成を為す事が出来る、又生理用品類の製品として為し、機能的・効率的・衛生的・安全・手間が係らずに簡易に扱える。依って、それ等の生理用品は単独、又は各自においても扱う事が出来る事により、取り付け、取り外す仕法も簡単になる、（例１つ、ガ−ド形状・構成の吊り・留め機能にて製品・部品を簡易固定）利用その利便性向上を図ったり、安全性向上を図ったする事により、依り良い製品とすることである。
又生理用品を全体として扱うも可能である。
【発明を実施するための最良の形態】
【００７３】
以下、本発明を実施するための形態を説明する（以下、実施形態という）。
なお、各実施形態を通じ、同一の部材、要素または部分には同一の符号を付して、其の説明を省略する。
【００７４】
（第１実施形態）
本実施例の図１は、ペニス１を単体に請求項１、２、３、４、５、又は６項の特徴、包囲する袋類、袋体を有し、該袋体４は、排泄物、汚物を保持し、又該保持物を処理をする等の仕法を有する構成の構造又は機能を持つ請求項１、又は２項の特徴を有している。又 該袋体の口端に続く持ち出し垂れ上がりの吸盤型密着裾帯５の延長を持って ペニス１の上部、下部又は周囲の身体に密着させて装着する方法、仕法の 請求項２、３、４、５、又は６項の特徴を有する製品の１つの例である。
（第２実施形態）
本実施例の図２は、（第１実施形態）の詳細図である。
【００７５】
（第３実施形態）
本実施例の図３は、ペニス１を単体に請求項１、２、３、４、５、又は６項の特徴、包囲する袋類・袋体を有し、該袋体４は、排泄物、汚物を保持し、又該保持物を処理をする等の仕法を有する構造又は機能の構成を持つ請求項１、又は２項の特徴を有している。又 該袋体４は、ペニス１の形状を縦に沿って製作する包囲袋体を蛇腹式吸盤６の方式にて製作して、ペニスに密着させて装着する方法、仕法の 請求項１，２、３、４、５、又は６項の特徴を有する製品の１つの例である。
（第４実施形態）
本実施例の図４は、（第３実施形態）の詳細図である。
【００７６】
（第５実施形態）
本実施例の図５は、ペニス１を単体に請求項１，２、３、４、５、又は６項の特徴、包囲する袋類、袋体を有し、該袋体４は、排泄物、汚物を保持し、又該保持物を処理をする等の仕法を有する構成の構造又は機能を持つ請求項１、又は２項の特徴を有している。又 該袋体４は、ペニス１の形状袋を横に沿って蛇腹式吸盤６の方式を製作して、蛇腹式吸盤６がペニスに密着又は装着する出来る方法、仕法の 請求項１，２、３、４、５、又は６項の特徴を有する製品の１つの例である。
（第６実施形態）
本実施例の図６は、（第５実施形態）の詳細図である。
【００７７】
（第７実施形態）
本実施例の図７は、ペニス１を単体に請求項１、２、３、４、５、又は６の特徴、包囲する袋類又は袋体を有し、該袋体４は、排泄物、汚物を保持し、又該保持物を処理をする等の仕法を有する構成の構造又は機能を持つ請求項１，２、３、４、５、又は６の特徴 を有している。又 該袋体４は、該袋体の端にペニス１の周囲に沿って係止するゴム類７を付帯してペニス身体に密着させて装着する方法、仕法のの方式を製作して、ペニス取り付け脱却を防ぐ方法、仕法の 請求項１、２、３、４、５、又は６項の特徴を有する製品の１つの例である。
（第８実施形態）
本実施例の図８は、（第７実施形態）の詳細図である。
【００７８】
（第９実施形態）
本実施例の図９は、ペニス１を単体に請求項１，２、３、４、５又は６項の特徴、包囲する袋類・袋体を有し、該袋体４は、排泄物・汚物を保持し、又該保持物を処理をする等の仕法を有する構成・構造・機能を持つ請求項１，２、３、４、５又は６項の特徴 を有している。該袋体は、多重構造１３を有し多重袋部の外側面１１の部は漏れ防止体又は具の素材８（ビニ−ル等）にて加工し、排泄物、汚物の漏れ防ぐ。又内側面１２の袋部は排泄物・汚物を吸収し、漏らす或いは乾燥肌合い良好材料（吸収紙９、ガ−ゼ、ネット、穴有し該穴は外側大の吸水大・浸透圧大、又内側小の穴にて浸透小逆水小のテ−パ−加工の吸水材又は従来のオムツ材のお肌サラサラ加工材等の使用も可）を使用加工する、又外側面と内側面の袋部の中間部には、内側面の袋部から浸透した排泄物・汚物を吸収し、保持、受け体類（紙）を設定し多重構造を為す、該構造は上記機能体と為す手段を有する方法・仕法をなした 請求項１、２、３、４、５又は６項の特徴を有する製品の１つの例である。又外側面の袋部には多数の調整穴１０或いはネット類を設定して尿・便の漏れ・排出を促し該袋体全体の状況・環境を調整し身体への影響を良好にする。尚此処で穴有する本発明製品の上には、従来のオムツを重ね装着する事により依り衛生的安全性を持つ。又此処での穴が無い事もできえる本発明製品とも可とする。
（第１０実施形態）
本実施例の図１０は、（第９実施形態）の詳細図である。
【００７９】
（第１１実施形態）
本実施例の図１１は、ペニス１を単体に請求項１，２、３、４、５又は６項の特徴、包囲する袋類・袋体を有し、該袋体４は、排泄物・汚物を保持し、又該保持物を処理をする等の仕法を有する構成・構造・機能を持つ請求項１，２項の特徴 を有している。該袋体４は、ペニス１を包囲する袋に縦線のスリット１４（切り線・裂き線、裂き面等）を設定する。該袋をペニス１から取り外す際は、スリット１４（切り線或いは袷面）を切り、開閉させる面を広げて脱却する方法によりその回収が簡易・スム−ス且つ衛生的に出来る。請求項１，２、３、４、５又は６の特徴を有する製品の１つの例である。
依って、『多重構造１３を有し多重袋部１３の外側面１１の部は漏れ防止体・具の素材８（ビニ−ル等）にて加工し、排泄物・汚物の漏れ防ぎ、又内側面１２の袋部は排泄物・汚物を吸収し・漏らす或いは乾燥肌合い良好材料（吸収紙９・ガ−ゼ・ネット等）を使用加工する、又外側面と内側面の袋部の中間部には、内側面の袋部から浸透した排泄物・汚物を吸収し、保持、受け体類（紙）を設定し多重構造を為す、該構造は上記機能体と為す手段を有する方法・仕法をなした 請求項１，２、３、４、５又は６項の特徴を有する製品の１つの例である。』『』内の構造の図９．１０に相当する部分を省いているが此の構造図９．１０を図１１・１２に使用するときに於いてこの構造作用が依り発揮される（排泄物がダバダバに多量に含んでいる場合に必要）又外側面の袋部には多数の調整穴１０或いはネット類を設定して尿・便の漏れ・排出を促し該袋体全体の状況・環境を調整し身体への影響を良好にする。請求項１、２、３、４、５又は６項の特徴を有する製品の１つの例である。多数の調整穴１０は内側面又は中間部（内面）に設けることが出来る。
（第１２実施形態）
本実施例の図１２は、（第１１実施形態）の詳細図である。
【００８０】
（第１３実施形態）
本実施例の図１３は、請求項１、２、３、４、５、又は６項の特徴において肛門又は陰門の排泄に関係する。又は該関与する部又は部分に於ける、該肛門と陰門との境、境界、区分をする。又は該関係する・関与する部又は部分と為す事が出来得る手段を設る事を特徴とする製品。
便と尿との排泄物を分離させる・分けて処理する手段である所の、該肛門と陰門との境・境界部分に区分帯１５として高い山を形成して該肛門と陰門の存在を区分する構造を持つ。区分帯１５所持する生理用品（変わり種オムツ）は、便と尿との排泄物を保持する為に吸収紙９にて製作する。該オムツには更に該肛門と陰門とに密着可能な機能の吸盤型５を呈して付着とする構造又は機能を設定して いる。依って便と尿の排泄物の漏れを防ぐ。製品で脱着が簡易、便利、清潔且つ安全にするを基にするためで有る。依って、該肛門と陰門との境又は境界部分に区分帯（汚物を包囲する堤防と為す〈吸盤等〉漏れ防止等の構成又は機能も設定可）として高・（低・溝）付着とする構造・機能を設定して 便と尿との排泄物を分離さて処理する方法である。及び請求項１、２、３、４、５又は６項の特徴を有する製品の１つの例である。
【００８１】
（第１４実施形態）
本実施例の図１４は、（第１３実施形態）の詳細図である。
（第１５実施形態）
本実施例の図１５は、（第１３実施形態）の詳細図である。
【００８２】
（第１６実施形態）
本実施例の図１６は、肛門３を単体に請求項１、２、３、４、５又は６の特徴、包囲する袋類の袋体を有し、該袋体４は、排泄物、汚物を保持し、又該保持物を処理をする等の仕法を有する構成の構造又は機能を持つ請求項１、２、３、４、５又は６項の特徴 を有している。
又 該袋体の口端に続く案内ガイド１６は肛門３に案内させて方向付けを示す。又案内ガイド１６は肛門周辺のお尻に密着し得る吸盤５と連動させ肛門とお尻の関係を良好に保つ一対のガイド吸盤として、一対のガイド吸盤からセットされる袋体を設定する。（該袋体は取り外し、取り付け可能も可）更に袋体は折り畳み式構造を持ち、使用始め時には折り畳んで縮小してペチャンコに圧縮させ身体にピッタリ、フイットさせる所の縮小可能とする設定構造１７とさせた。又袋体内に排出物が排泄されたとき、折り畳み式構造の袋体が膨れて需要に応じて大きくなる所の拡大可能とする設定構造で１８ある。該袋体は折り畳み式構造を持ちガイドが吸盤にセットされている、該袋体の口元に弁１９をセットされている。該弁は袋体内の排出物が逆流しないように逆流防止設定構造が設けられている。該方法・仕法の 請求項１、２、３、４、５又は６項の特徴を有する製品の１つの例である。尚、袋体の内に吸水材（例えばゲル材）を用いて吸収させ漏流出を防ぐ事も可能である。、
【００８３】
（第１７実施形態）
本実施例の図１７は、肛門３を単体に請求項１、２、３、４、５又は６項の特徴、包囲する袋類の袋体を有し、該袋体４は、排泄物・汚物を保持し、又該保持物を処理をする等の仕法を有する構成の構造又は機能を持つ請求項５の特徴 を有している。又 該袋体４の口端に菊型（星形）形状を有す構造２０を設定する。菊型（星形）形状は折り畳み形状袋の汚物受入口に設定により該袋口元を閉止させる。（該袋体は取り外し、取り付け可能も可）使用始め時には折り畳んで縮小密閉し弁可能として、袋体内の排出物が逆流しないように逆流防止設定の構造として設けられている。折り畳んで縮小密閉し弁可能菊型該袋口元を閉止逆流防止設定の構造の袋体内に排出物が排泄されるとき、菊型該袋口元は下に向けて開方出来る手段を持ち袋体内に排出物の排泄事菊型該袋口元が開いて排出物は保持される、排出後、菊型該袋口元は閉ざされる、閉止逆流防止設定の構造の袋体となる。該方法・仕法は請求項１、２、３、４、５又は６項の特徴を有する製品の１つの例である。
【００８４】
（第１８実施形態）
本実施例の図１８は、（第１７実施形態）の詳細図である。菊型該袋口元は閉ざされる、閉止逆流防止設定の構造の袋体の菊型の該袋口元です。
（第１９施形態）
本実施例の図１９は、（第１７実施形態）の詳細図である。菊型該袋口元が開放されて、開方、開放流出可能設定の構造の袋体の菊型該袋口元です。
【００８５】
（第２０実施形態）
本実施例の図２０は、ペニス１をを単体に請求項１、２、３、４、５又は６項の特徴、包囲する袋類の袋体を有し、該袋体４は、排泄物・汚物を保持し、又該保持物を処理をする等の仕法を有する構成の構造又は機能を持つ請求項１、２、３、４、５又は６項の特徴 を有している。ペニス１を包囲した袋体部分を従来のオムツ２１に又はパット・ナプキンに、（重ね着つけ設定も可）関与する部分に添付又は装着（装着は、位置、角度でも、どの様な所でも可能）させて該袋体を固定した構成の構造又は機能を持つ請求項の特徴 を有している製品。
【００８６】
（第２１実施形態）
本実施例の図２１は、請求項１、２、３、４、５又は６項の特徴、肛門又は陰門の排泄に関係する又は関与する部分に於ける、該肛門と陰門との境、境界又は区分とする、又は該関係する又は関与する部、部分又は部品とする該事由、該事項と為す事が出来得る手段を設る事を特徴とする製品である。
又便と尿との排泄物を分離させる又は分けて処理する手段である。
又上記記載の製品は、該肛門と陰門との境、境界部分に区分帯１５（陰部の腹の前の方に関与する箇所に陰部に区分帯）として（肛門と陰門との境又は境界部分の身体状の形状にあわせた、沿った形）高い山を形成して該肛門と陰門の存在を区分する構造を持つ。
区分帯１５所持する製品（変わり種オムツ）は、便と尿との排泄物を保持する為に吸収紙９にて製作する。該オムツには更に該肛門と陰門とに密着可能な機能の吸盤型５を呈して付着とする構造又は機能（自由に取り付け、取り外し可能）を設定して いる。依って便と尿の排泄物の漏れを防ぐ。その区分帯１５の自由に取り付け、取り外し可能な構造又は機能態の肛門側部分に穴２２を設け、其の穴に関与して袋体（蛇腹式）を設定し便の排泄物を保持する。更に区分帯１５に剥離可能機能材２３を設定する、はがし材質・品を貼付する構造である。又区分帯１５と袋体４は従来のオムツ２１を重ね着けするそれ等の関与する部分に添付又は装着させて該袋体又は区分帯１５を固定し、又取り外し、取り付け可能な構成する構造又は機能とした請求項１、２、３、４、５又は６項の特徴 を有している製品。該製品は脱着が簡易・便利・清潔且つ安全にするを基にするためで有る所の付着、二重漏れ防止、剥がしとする構造又は機能を設定する、便と尿との排泄物を分離さて処理する方法である。
【００８７】
（第２２実施形態）
本実施例の図２２は、肛門３を単体に請求項１、２、３、４、５又は６項の特徴、包囲する袋類の袋体を有し、該袋体４は、排泄物、汚物を保持可能、又該保持物を処理をする等の仕法を有する構成の構造又は機能を持つ請求項１、２、３、４、５又は６項の特徴 を有している。又便と尿との排泄物を分離させる・分けて処理する手段である所の、該肛門と陰門との境、境界部分に区分帯１５を形成して該肛門と陰門の存在を区分する構造を持つ。区分帯１５所持する生理用品（製品、変わり種オムツ）、パット又はナプキンは、便と尿との排泄物を保持する為に吸収紙９にて製作する。該生理用品（オムツ）には更に該肛門と陰門とに密着可能な機能の吸盤型５を呈して付着とする構造・機能を設定している。依って便と尿の排泄物の漏れを防ぐ。その区分帯１５に続く周囲の肛門側部分に穴２２を設け、其の穴に関与設定する袋体は、上部口元は引っかかる鍵型を持ち、袋部は折り畳み式で小さく圧縮出来得る物である。該袋体は柔軟性を持ち、該穴に通して上部口元の引っかかる鍵型２４を持って固定設定させる（固定設定の癒着・契合の方法は接着剤使用・形状組み入れ等の種々がある）便の排泄を保持する。又陰門からの尿の排出は、肛門からの便の排出と同じ方法でも良い又図１３の方法でも良い。
固定し、又取り外し・取り付け可能な構成に於ける構造又は機能とした請求項１、２、３、４、５又は６項の特徴を有している製品。個人個人の状況状態により、従来のオムツりだけの使用で無く、本件製品と従来のオムツを重ね装着すれば、漏れに対して強くなる。該製品は脱着が簡易、便利、清潔且つ安全にするを基にするためで有る所の付着、二重漏れ防止又は剥がしとする構造又は機能を設定する、便と尿との排泄物を分離さて処理する方法である。
【００８８】
（第２３実施形態）
本実施例の図２３は、（第２２実施形態）の肛門側の詳細図である。又請求項１、２又は３項の特徴、便と尿との排泄物を分離させる・分けて処理する手段である。本実施例の図２３は、肛門３を単体に請求項１乃至６項の特徴、包囲する袋類の袋体を有し、該袋体４は、排泄物・汚物を保持し、又該保持物を処理をする等の仕法を有する構成の構造又は機能を持つ請求項１、２、３、４、５又は６項の特徴 を有している。その区分帯１５に続く周囲の肛門側部分に穴２２を設け、其の穴は段差を持った吸収紙９で製作され、袋体の上部口元が引っかかる鍵型が契合固定される。更に、該段差を持った穴より延長して設けられる先に吸盤体５が設けられて、お尻に密着させる。其の穴に関与設定する袋体は、上部口元は引っかかる鍵型を持ち、袋部は折り畳み式で小さく圧縮出来得る物である。該袋体は柔軟性を持ち、該穴に通して上部口元の引っかかる鍵型２４を持って固定設定させる（固定設定の癒着・契合の方法は接着剤使用・形状組み入れ等の種々がある）便の排泄を保持する、固定し、又取り外し・取り付け可能な構成の構造又は機能とした請求項１、２、３、４、５又は６項の特徴を有している製品。個人個人の状況状態により、従来のオムツりだけの使用で無く、本件特徴製品と従来のオムツを重ね装着すれば、漏れに対して強くなる。該製品は脱着が簡易、便利、清潔且つ安全にするを基にするためで有る所の付着、二重漏れ防止又は剥がしとする構造又は機能を設定する、便と尿との排泄物を分離さて処理する方法である。
【００８９】
（第２４実施形態）
本実施例の図２４は、便と尿との排泄物を分離させる、分けて処理する手段である。本実施例の図２４は、陰門・肛門３を単体に包囲する袋類の袋体を有し、該袋体４は、排泄物・汚物を保持し、又該保持物を処理をする等の仕法を有する構成の構造又は機能を持つ請求項１，２、又は３項の特徴を有している。肛門３に関与設定する袋体は、上部口元から延びる形状を持ち、該形状は肛門へ案内するガイド１６及びガ−ド２５に契合固定する部をも併せ持ち排泄物を誘導案内する。該袋部は折り畳み式で小さく圧縮出来得る物である。該袋体は柔軟性を持ち、該袋部を係止ガ−ド２５に固定し肛門３に関与させて安定させる。  係止ガ−ド等は腰回りを結いし、又は該ガ−ドから下に下がって、足回りのガ−ドに関与結いする。前記記載該足回りのガ−ド２５に前記記載の該袋部４を設定する。固定し、又取り外し・取り付け可能な構成の構造又は機能とした請求項１、２、３、４、５又は６項の特徴 を有している製品。個人個人の状況状態により、従来のオムツりだけの使用で無く、本件特徴製品と従来のオムツを重ね装着すれば、漏れに対して強くなる。該製品は脱着が簡易、便利、清潔且つ安全にするを基にするためで有る所の付着、二重漏れ防止、又は剥がしとする構造、機能を設定する、便と尿との排泄物を分離さて処理する方法である。
【００９０】
尚、実施形態は、ペニス、陰門、肛門等のペニスを単体にて説明していますが
他陰門、肛門とする各々を単体にするに於いても、上記記載の構造又は機能にあてはめた実施形態を行うことが出来ます。依って、上記目的を達成すべく、請求項に記載された発明では、の項の全項の記載に於いて、ペニス・陰門・肛門に関するもの全般に関して、為す事が出来る。又（ペニス等）単体代表にて説明に依る物としているが、従って他の陰門・肛門に関するもの全般（一対も可）に関して成すもの・あてはめたものである。又、請求項に記載された発明では手段を有する（設けた・備えた）特徴の上記記載の少なくても何れか１つに記載とする「特徴（製品）の、」請求項１乃至６項の記載の請求項の特徴に於いて、 該特徴は何れか１つに記載の特徴又は複数の記載の特徴を有して、該特徴及び該請求項等は複数或いは交差記載の特徴・製品となす事が出来る。
【００９１】
（第２５実施形態）
本実施例の図２５は、便と尿との排泄物を分離させる・分けて処理する手段である、ペニス或いは陰門及び肛門を単体に包囲する袋類の袋体を有し、各々の該袋体は、排泄物・汚物を保持し、又該保持物を処理をする等の仕法を有する構成の構造又は機能を持つ（請求項１、２、３、４、５又は６項の）特徴 を有している。該ペニス或いは陰門及び肛門に関与するそれぞれ各自の該袋体を従来のパットの生理用品類の面の上側に関与・関連等の装着設定する袋体付きパットで有る。この様な構造にする事により、各々の該袋体の、排泄物、汚物を保持固定を計り、又該保持物を処理をするに当たり汚物の拡散、飛び散りを防ぎ、簡易な処理を行える、又は衛生的な構造である製品である。
【００９２】
（第２６実施形態）
本実施例の図２６は、便と尿との排泄物を分離させる、又は分けて処理する手段である、ペニス或いは陰門及び肛門を単体に包囲する袋類の袋体を有し、各々の該袋体は、排泄物、汚物を保持し、又該保持物を処理をする等の仕法を有する構成の構造又は機能を持つ（請求項１、２、３、４、５又は６項の）特徴 を有している。従来の生理用品類の１つであるパットを機能作用させる構成又は構造と為す仕法に於いて、上記のペニス或いは陰門及び肛門を単体に包囲する袋類の袋体を有する該袋体として、関与、関連等して構成する該パットを設定するには、該袋体を該位置とする該パットに該貫の穴を設定する。該パット貫通穴の下側に該袋体を関与、関連して装着設定する、袋体付きパットで有る構成と為す。該ペニス或いは陰門及び肛門に関与するそれぞれ各自の該袋体をこの様な構造にする事により、各々の該袋体の、排泄物、汚物を保持、固定を計り、又該保持物を処理をするに当たり汚物の拡散、飛び散りを防ぐ簡易な処理を行える、又は衛生的な構造の製品である。
【図面の簡単な説明】
【００９３】
【図１】第１実施例は生理用品の製品・部品の断面図
【図２】第２実施例は生理用品の製品・部品の断面図
【図３】第３実施例は生理用品の製品・部品の断面図
【図４】第４実施例は生理用品の製品・部品の断面図
【図５】第５実施例は生理用品の製品・部品の断面図
【図６】第６実施例は生理用品の製品・部品の断面図
【図７】第７実施例は生理用品の製品・部品の断面図
【図８】第８実施例は生理用品の製品・部品の断面図
【図９】第９実施例は生理用品の製品・部品の断面図
【図１０】第１０実施例は生理用品の製品・部品の断面図
【図１１】第１１実施例は生理用品の製品・部品の断面図
【図１２】第１２実施例は生理用品の製品・部品の断面図
【図１３】第１３実施例は生理用品の製品・部品の断面図
【図１４】第１４実施例は生理用品の製品・部品の平面図
【図１５】第１５実施例は生理用品の製品・部品の断面図
【図１６】第１６実施例は生理用品の製品・部品の断面図
【図１７】第１７実施例は生理用品の製品・部品の断面図
【図１８】第１８実施例は生理用品の製品・部品の平面図
【図１９】第１９実施例は生理用品の製品・部品の平面図
【図２０】第２０実施例は生理用品の製品・部品の断面図
【図２１】第２１実施例は生理用品の製品・部品の断面図
【図２２】第２２実施例は生理用品の製品・部品の斜面図
【図２３】第２３実施例は生理用品の製品・部品の断面図
【図２４】第２４実施例は生理用品の製品・部品の斜面図
【図２５】第２５実施例は生理用品の製品・部品の斜面図
【図２６】第２６実施例は生理用品の製品・部品の斜面図
【符号の説明】
【００９４】
１  ペニス
２   陰門
３  肛門
４  袋体
５  吸盤
６  蛇腹式吸盤
７  ゴム
８  漏れ防止体・具の素材
９  吸収紙
１０多数の調整穴
１１外側面
１２内側面
１３多重袋部
１４スリット
１５区分帯
１６案内ガイド
１７縮小可能とする設定構造
１８拡大可能とする設定構造
１９弁
２０菊型（星形）形状
２１従来のオムツ
２２穴
２３剥離可能機能材
２４引っかかる鍵型
２５ガ−ド
２６パット
【図１】
2009112828.tif 000003
【図２】
2009112828.tif 000004
【図３】
2009112828.tif 000005
【図４】
2009112828.tif 000006
【図５】
2009112828.tif 000007
【図６】
2009112828.tif 000008
【図７】
2009112828.tif 000009
【図８】
2009112828.tif 000010
【図９】
2009112828.tif 000011
【図１０】
2009112828.tif 000012
【図１１】
2009112828.tif 000013
【図１２】
2009112828.tif 000014
【図１３】
2009112828.tif 000015
【図１４】
2009112828.tif 000016
【図１５】
2009112828.tif 000017
【図１６】
2009112828.tif 000018
【図１７】
2009112828.tif 000019
【図１８】
2009112828.tif 000020
【図１９】
2009112828.tif 000021
【図２０】
2009112828.tif 000022
【図２１】
2009112828.tif 000023
【図２２】
2009112828.tif 000024
【図２３】
2009112828.tif 000025
【図２４】
2009112828.tif 000026
【図２５】
2009112828.tif 000027
【図２６】
2009112828.tif 000028